(57)【要約】【課題】  乗客と共に移動するベルトを用いて、長文の広告宣伝の表示を可能にした乗客コンベアを得る。【解決手段】  エスカレータ階段部と共に移動するエスカレータベルトに、エスカレータベルトと一体となって移動するように薄型で柔軟性を持つ複数の薄型表示装置１を設置し、この薄型表示装置１に長文のコンテンツをスクロール表示し、広告宣伝を行うようにし、薄型表示装置１は、コンテンツを表示する表示部２と、無線ＬＡＮにより伝送されるコンテンツを受信すると共に受信したコンテンツを表示部２に表示するように制御する受信制御機能部３と、エスカレータ階段部に並行して配置された電源バーから給電を受ける摺動接触子４を有している。【選択図】図１
2005059989.tif 000002
【特許請求の範囲】
【請求項１】
乗客を乗せて移動する移動ステップ、この移動ステップと共に移動し、乗客の手摺になるように形成されたベルト、及びこのベルトに取付けられ、コンテンツを電気的に表示する表示装置を備えたことを特徴とする乗客コンベア。
【請求項２】
上記表示装置は、外部から送信されるコンテンツを受信し、この受信したコンテンツを表示することを特徴とする請求項１記載の乗客コンベア。
【請求項３】
上記表示装置は、表示させるコンテンツの内容が変更可能な表示部を有していることを特徴とする請求項１記載の乗客コンベア。
【請求項４】
上記表示装置は、着脱可能になるように上記ベルトに取付けられていることを特徴とする請求項１記載の乗客コンベア。
【請求項５】
摺動可能な接触子または無線により上記表示装置に給電する電源装置を備えたことを特徴とする請求項１記載の乗客コンベア。
【請求項６】
上記表示装置に給電する電源装置を備え、上記電源装置は、上記移動ステップに並行するように設置され、上記表示装置に給電を行う電源バーを有すると共に、上記表示装置は、上記電源バーに接触して上記電源バーから給電される摺動接触子を有することを特徴とする請求項１記載の乗客コンベア。
【請求項７】
上記表示装置は、上記ベルトに複数個が取付けられ、それぞれ異なるコンテンツを表示することを特徴とする請求項１記載の乗客コンベア。
【請求項８】
上記表示装置による表示は、乗客コンベアの進行方向に向かって上記コンテンツの情報がスクロール表示されるように行われることを特徴とする請求項１記載の乗客コンベア。
【請求項９】
上記表示装置により表示されるコンテンツは、無線を経由して送信された情報により瞬時に切り替えられることを特徴とする請求項１記載の乗客コンベア。
【請求項１０】
上記表示装置は、有機エレクトロルミネセンスパネル、液晶パネル及び発光ダイオードパネルのいずれかを用いて形成されていることを特徴とする請求項１記載の乗客コンベア。
【請求項１１】
乗客を乗せて移動する移動ステップと共に移動するベルトに取付けられ、コンテンツを電気的に表示する表示部、及びこの表示部に上記コンテンツを表示するように制御する制御部を備え、上記表示部及び制御部は、上記移動するベルトと共に変形するように柔軟性を有することを特徴とする表示装置。
【発明の詳細な説明】
【技術分野】
【０００１】
この発明は、手摺として用いられるベルトに表示装置を取り付けて広告を行うエスカレータ、移動歩道などの乗客コンベア及びその表示装置に関するものである。
【背景技術】
【０００２】
広告宣伝を行う場所として、商業ビルのエスカレータや移動歩道の手摺として用いられるベルトがある。従来は、特定顧客の広告宣伝内容を印刷したテープ状粘着物をベルト手摺表面に環状に貼り付け、エスカレータ利用者にアピールするものであった。
また、特許文献１には、乗客コンベアのベルトの固定部分にＬＥＤや液晶パネルなどの表示体を配置し、ベルトの可動部分を透明にして、表示体を上から見えるようにして広告宣伝を行うものが示されている。
【０００３】
【特許文献１】特開平７−３３０２７１号公報（第３〜４頁、図４）
【発明の開示】
【発明が解決しようとする課題】
【０００４】
しかしながら、上述の特定顧客の広告宣伝内容を印刷したテープ状粘着物をベルト手摺表面に環状に貼り付け、エスカレータ利用者にアピールするものでは、エスカレータ利用者の視線の届くベルト範囲は短く、長文の広告宣伝メセージでのアピールは困難であった。
また、印刷物をベルトに貼り付けると投資対効果の観点上、月単位の一定期間、同一宣伝内容を継続せざるを得ない。つまり一本のベルトで複数の広告宣伝を行うことは極めて困難であった。さらに、印刷物の製作張替え等、広告主が代わるたびに多額の投資が必要となる。
また、特許文献１では、ベルトの固定部分に表示体を配置するので、移動ステップに乗り移動する乗客は、すぐに通過するため、短い広告しか表示できないという問題があった。
また、特許文献１では、新規設計・製作の乗客コンベアに対してしか適用できず、既設の乗客コンベアへの適用に関しては非現実的と言える。
【０００５】
この発明は、上述のような課題を解決するためになされたものであり、乗客と共に移動するベルトを用いて、長文の広告宣伝の表示を可能にした乗客コンベアを得ることを第一の目的にしている。
また、乗客コンベアの乗客と共に移動するベルトに配置され、長文の広告宣伝の表示を可能にした表示装置を得ることを第二の目的にしている。
【課題を解決するための手段】
【０００６】
この発明に係わる乗客コンベアにおいては、乗客を乗せて移動する移動ステップ、この移動ステップと共に移動し、乗客の手摺になるように形成されたベルト、及びこのベルトに取付けられ、コンテンツを電気的に表示する表示装置を備えたものである。
【発明の効果】
【０００７】
この発明は、以上説明したように、乗客を乗せて移動する移動ステップ、この移動ステップと共に移動し、乗客の手摺になるように形成されたベルト、及びこのベルトに取付けられ、コンテンツを電気的に表示する表示装置を備えたので、乗客コンベアのベルトを利用して長文の広告コンテンツを乗客に見やすく表示することができる。
【発明を実施するための最良の形態】
【０００８】
実施の形態１．
以下、この発明の実施の形態を図に基づいて説明する。
図１は、この発明の実施の形態１によるエスカレータの表示装置を示す外観図である。
図１において、薄型表示装置１は、エスカレータベルトの可動部分に貼り付け可能な薄型で柔軟性を有しており、エスカレータベルトが回転しても剥離せずまた機能的にも障害が生じず長時間の使用にも耐えられる構造を持ち、例えば、有機エレクトロルミネッセンスパネル、液晶パネル及び発光ダイオードパネルのいずれかを用いた表示部２有し、この表示部２の表示を制御する受信制御機能部３（制御部）を有している。この薄型表示装置１は、着脱可能になるようにエスカレータベルトに取付けられることもできる。
受信制御機能部３は、無線ＬＡＮ（Ｌｏｃａｌ  Ａｒｅａ  Ｎｅｔｗｏｒｋ）を介して広告コンテンツを受信するコンテンツ受信機能と、受信した広告コンテンツを表示部２に表示するように制御する制御機能と、給電機能とを持っている。受信制御機能部３への給電は、薄型表示装置１に付帯して設けられた摺動接触子４を通じて行われ、エスカレータのベルトが移動中も安定的に給電が可能なようになっている。
【０００９】
図２は、この発明の実施の形態１によるエスカレータを示す概略図である。
図２において、エスカレータは、エスカレータ階段部５（移動ステップ）と、エスカレータベルト６（ベルト）を有し、エスカレータベルト６は、エスカレータ昇降動作時に一定方向に回転運動を行う。薄型表示装置１は、直流安定化電源装置７から給電される。直流安定化電源装置７（電源装置）の給電手段を構成し、エスカレータベルト６に並行に固定設置された電源バー８が設けられ、薄型表示装置１毎に付帯して設けられた摺動接触子４は、エスカレータベルト６が移動しても常に電源バー８と接触し、安定的な給電を可能とするものである。なお、薄型表示装置１への電源は、摺動接触子に接触する電源バーに限らず、非接触型の電源供給装置であってもよい。
図３は、この発明の実施の形態１によるエスカレータの表示装置取り付け事例を示す上面図であり、図３（ａ）は、所定の大きさの表示装置が複数取り付けられた図、図３（ｂ）は、ベルトに沿って環状に設置された表示装置を示す図である。
図４は、この発明の実施の形態１によるエスカレータの表示装置の表示例を示す図である。
【００１０】
次に、動作について説明する。
図１に示される薄型表示装置１は、図２のようにエスカレータベルト６に設置され、エスカレータベルト６に貼り付け可能な薄型で、エスカレータベルト６の回転に伴う折り曲げ応力にも対応する柔軟性を有しており、エスカレータベルト６が回転しても剥離せず、常にエスカレータベルト６と一体になって移動し、また機能的にも障害が生じず長時間の使用にも耐えられるように構成されている。薄型表示装置１の受信制御機能部３は、無線ＬＡＮによりコンテンツを受信し、これを表示部２に表示する。表示部２の長さは任意に設計できるため、エスカレータの長さ、利用者の混雑度等を想定して、その長さを決定することができる。図２は、エスカレータ運用中においてエスカレータベルト６の回転に伴い、薄型表示装置１が移動する様子を示している。
【００１１】
薄型表示装置１は、利用者の目に触れるエスカレータベルト６の上面で昇降方向に沿って移動中時のみ表示機能が生きるものとする。従ってこの間のみ給電すればよい。薄型表示装置１は、乗客の視線をベルト手摺に置かれた時、エスカレータの進行方向に向かって文字情報がスクロール表示されるように行われ、乗客が昇降開始から終了までの数十秒間にコンテンツ情報を複数回スクロール表示する。
直流安定化電源装置７及び電源バー８は、固定設置される。電源バー８は、エスカレータの昇降方向に並行して設置されており、薄型表示装置１に付帯する摺動接触子４が、エスカレータベルト６の移動に伴い、電源バー８の表面を摺動接触することにより、安定的に薄型表示装置１への給電が行われる。
薄型表示装置１は、無線ＬＡＮによるコンテンツ受信機能により、広告コンテンツを配信するサーバからの指令により、瞬時にコンテンツの入れ替えが可能である。図３は、薄型表示装置１の取り付け例であり、図３（ａ）では、複数の薄型表示装置１をを、図３（ｂ）では、環状の薄型表示装置１を、それぞれエスカレータベルト６表面に貼り付けた例を示している。この場合には、例えば、図４のように、薄型表示装置１の表示部２での表示可能文字数が９文字の場合に、２４文字のメッセージをスクロール表示する。
【００１２】
なお、上述の説明では、エスカレータを例にして説明したが、移動歩道でもよく、ベルトが設けられた乗客コンベアであればよい。
【００１３】
実施の形態１によれば、従来の方式とは異なり、乗客コンベアベルトに複数個もしくは環状に薄型表示装置を装着することにより、長文のコンテンツを乗客に見やすく表示することができ、複数の薄型表示装置を設置した場合には複数のコンテンツを同時に表示することができる。従って、従来のように特定広告主固有の広告宣伝を長期に亘り掲載する必要がないので、広告費用も低減できる。
また、無線ＬＡＮを経由してコンテンツも瞬時に容易に入れ替え可能であるため、広告宣伝事業を展開する場合に、広告主の安定獲得が可能となる。
【図面の簡単な説明】
【００１４】
【図１】この発明の実施の形態１によるエスカレータの表示装置を示す外観図である。
【図２】この発明の実施の形態１によるエスカレータを示す概略図である。
【図３】この発明の実施の形態１によるエスカレータの表示装置取り付け事例を示す上面図である。
【図４】この発明の実施の形態１によるエスカレータの表示装置の表示例を示す図である。
【符号の説明】
【００１５】
１  薄型表示装置
２  表示部
３  受信制御機能部
４  摺動接触子
５  エスカレータ階段部
６  エスカレータベルト
７  直流安定化電源装置
８  電源バー
【図１】
2005059989.tif 000003
【図２】
2005059989.tif 000004
【図３】
2005059989.tif 000005
【図４】
2005059989.tif 000006